(57)【要約】      （修正有）【課題】箸の取り出しが容易で、壊れにくく、しかも、持ち運び時に異音を生じさせることのない箸箱を提供する。【解決手段】箸箱本体１４を蓋体１６から引き出し、その引出側端部を蓋体１６に対して下側へ押し下げるだけで箸１２の持ち手部分が箸箱本体１４から外部に露出し、箸１２を簡単に取り出すことが出来る。箸箱本体１４の押し下げ操作はガイド突条の突部を中心とする回動運動であるので、箸箱本体１４の回動運動時に弾発力が作用することはない。したがって、箸箱本体１４を押し下げた手を離しても箸箱本体１４が元の位置に戻ることはなく、箸１２の取り出し作業の邪魔になるようなことはない。また、箸箱本体１４の全体を回動運動させるようにしているので、従来の箸箱のように部分的な応力集中が加わるようなことはなく、長期間の使用による亀裂や破断が生じることもなく、非常に頑丈な箸箱１０とすることができる。【選択図】図１
2014236865.tif 000002
【特許請求の範囲】
【請求項１】
上面が開口した有底で細長矩形状の箸箱本体と、少なくとも前記箸箱本体の上面開口および左右の側壁を覆う蓋体とを備え、前記蓋体に対して前記箸箱本体をその長手方向にスライドさせることにより前記箸箱本体の上面開口が開閉される箸箱であって、
前記蓋体の左右の側壁の内側面には、その長手方向に沿って延びるガイド溝が形成されており、
前記箸箱本体の前記各側壁の外側面の挿入側端部には、前記ガイド溝にスライド可能に嵌合され、前記蓋体から引き出された前記箸箱本体の引出側端部を前記蓋体に対して下方へ押し下げる際の回動軸となる突部が形成されており、
前記ガイド溝には、前記蓋体から前記箸箱本体を引き出した時に前記突部と当接して前記箸箱本体の引き出し量を規制するストッパーが形成されており、
前記箸箱本体の前記各側壁の外側面の引出側端部には、前記ガイド溝にスライド可能に嵌合され、前記蓋体から前記箸箱本体を引き出して前記突部が前記ストッパーと当接した時にその全体が前記ガイド溝から抜け出るガイドが形成されており、
前記箸箱本体の左右の側壁の挿入側端部には、挿入端に至る上面開口から一段下がった段状の、または挿入端に向って側壁高さを減ずる逃げ部が形成されており、
前記各側壁の内側面には、箸をその左右両側から挟持する箸挟持部材が設けられており、
前記箸箱本体の底板には、前記箸箱本体に収容した箸の箸先を浮き上がらせる箸置き部が前記突部よりも引出側に形成されていることを特徴とする箸箱である。
【請求項２】
前記蓋体の左右の側壁の内側面或いは前記蓋体の天井面には、前記箸箱本体の引出側端部を前記蓋体に対して下方に押し下げたときに前記箸箱本体の挿入側の端面と当接するストッパーが形成されていることを特徴とする請求項１に記載の箸箱。
【請求項３】
前記ガイドには、その幅を前記ガイド溝の溝幅よりも幅広にする押圧部が設けられていることを特徴とする請求項１または２に記載の箸箱。
【発明の詳細な説明】
【技術分野】
【０００１】
本発明は、箸の取り出しが容易で壊れにくく、しかも、持ち運び時に異音を生じさせることのない箸箱に関する。
【背景技術】
【０００２】
従来の箸箱としては、箸箱本体の上面開口を覆うように取り付けられた蓋体を長手方向にスライドさせることによって箸箱本体の開口を開閉するようにしたものが周知であり、このようなスライド式の箸箱において、箸の取り出しを容易にするために工夫されたものが種々存在する（特許文献１参照）。
【０００３】
たとえば、特許文献１に記載された箸箱１は、図６に示すように、箸箱本体２の端部に形成されている屈曲部２ａを下方へ押し下げて屈曲させることによって、箸箱本体２の内部に収容された箸３の端部を箸箱本体２の外部へ露出させるようにしたものであり、この露出された部分を手で掴むことによって箸３を容易に取り出すことができる。
【先行技術文献】
【特許文献】
【０００４】
【特許文献１】特開２００４−１１３４９４号公報（図９）
【発明の概要】
【発明が解決しようとする課題】
【０００５】
従来の箸箱１は、箸箱本体２の全体がポリプロピレンやＡＢＳ樹脂などの熱可塑性樹脂で形成されているため、屈曲部２ａを下方へ押し下げて屈曲させると、箸箱本体２と屈曲部２ａとの境界部分である薄肉連結部２ｂが弾性変形して弾発力が働くこととなる。したがって、箸３の取り出し作業時において、屈曲部２ａを押し下げていた手を離して箸３を掴もうとすると、フリーになった屈曲部２ａが弾発力によって元の位置に戻ろうとし、これが箸３の取り出し作業の邪魔になるという問題があった。
【０００６】
また、屈曲部２ａを何度も繰り返し屈曲させていると、薄肉連結部２ｂに加わる応力集中によって当該箇所に亀裂が生じたり、酷い場合には破断に至ることがあった。とりわけ気温が低くなる冬場にあっては、箸箱本体２の材料である熱可塑性樹脂が硬化して可撓性が失われてしまい、上記問題が生じやすい。
【０００７】
さらに、従来の箸箱では、箸箱１内に収容した箸３が箸箱１の中で移動して持ち運び時にカタカタと耳障りな異音を生じさせるという問題もあった。
【０００８】
本願発明は、かかる従来の問題に鑑みてなされたもので、箸の取り出しが容易で、壊れにくく、しかも、持ち運び時に異音を生じさせることのない箸箱を提供することにある。
【課題を解決するための手段】
【０００９】
請求項１に記載した発明は、「上面が開口した有底で細長矩形状の箸箱本体１４と、少なくとも箸箱本体１４の上面開口および左右の側壁１４ａを覆う蓋体１６とを備え、蓋体１６に対して箸箱本体１４をその長手方向にスライドさせることにより箸箱本体１４の上面開口が開閉される箸箱１０であって、蓋体１６の左右の側壁１６ａの内側面には、その長手方向に沿って延びるガイド溝３０が形成されており、箸箱本体１４の各側壁１４ａの外側面の挿入側端部には、ガイド溝３０にスライド可能に嵌合され、蓋体１６から引き出された箸箱本体１４の引出側端部を蓋体１６に対して下方へ押し下げる際の回動軸となる突部１８ｂが形成されており、ガイド溝３０には、蓋体１６から箸箱本体１４を引き出した時に突部１８ｂと当接して箸箱本体１４の引き出し量を規制するストッパー３２が形成されており、箸箱本体１４の各側壁１４ａの外側面の引出側端部には、ガイド溝３０にスライド可能に嵌合され、蓋体１６から箸箱本体１４を引き出して突部１８ｂがストッパー３２と当接した時にその全体がガイド溝３０から抜け出るガイド２０が形成されており、箸箱本体１４の左右の側壁１４ａの挿入側端部には、挿入端に至る上面開口から一段下がった段状の、または挿入端に向って側壁高さを減ずる逃げ部１４ｂが形成されており、各側壁１４ａの内側面には、箸１２をその左右両側から挟持する箸挟持部材２４が設けられており、箸箱本体１４の底板１４ｄには、箸箱本体１４に収容した箸１２の箸先を浮き上がらせる箸置き部２６が突部１８ｂよりも引出側に形成されている」ことを特徴とする箸箱１０である。
【００１０】
請求項２に記載の発明は「蓋体１６の左右の側壁１６ａの内側面或いは蓋体１６の天井面には、箸箱本体１４の引出側端部を蓋体１６に対して下方に押し下げたときに箸箱本体１４の挿入側の端面と当接するストッパー３４が形成されている」ことを特徴とする請求項１に記載の箸箱１０である。
【００１１】
請求項３に記載の発明は、「ガイド２０には、その幅ａ３をガイド溝３０の溝幅ｃよりも幅広にする押圧部２０ｃが設けられている」ことを特徴とする請求項１または２に記載の箸箱１０である。
【発明の効果】
【００１２】
請求項１に記載の箸箱１０によれば、各側壁１４ａの外側面の挿入側端部には、ガイド溝３０にスライド可能に嵌合され、蓋体１６から引き出された箸箱本体１４の引出側端部を蓋体１６に対して下方へ押し下げる際の回動軸となる突部１８ｂが形成されており、箸箱本体１４の左右の側壁１４ａの挿入側端部には、挿入端に至る上面開口から一段下がった段状の、または挿入端に向って側壁高さを減ずる逃げ部１４ｂが形成されているので、蓋体１６に収容されている箸箱本体１４を蓋体１６から引き出し、この箸箱本体１４の引出側端部に対して下方に押し下げる方向の力を付与すると、箸箱本体１４が突部１８ｂを回動軸として回動し、箸箱本体１４の引出側端部が蓋体１６に対して下方に押し下げられる。
【００１３】
ここで、箸１２は、箸箱本体１４の箸挟持部材２４によって挟持固定されている。したがって、箸箱本体１４の引出側端部を下方へ押し下げて箸箱本体１４を回動させようとすると、箸１２も箸箱本体１４と一緒に回動しようとする。
【００１４】
ところが、箸１２は、箸置き部２６によってその箸先が浮き上がっており、箸箱本体１４を回動させると、箸１２の箸先がすぐに蓋体１６の天井面と当接して、箸１２をこれ以上回動させることはできなくなる。したがって、箸挟持部材２４によって挟持されている箸１２は、箸箱本体１４の回動運動に追随することなくその位置が保持され、箸箱本体１４だけが回動運動し、その結果、箸１２の持ち手部分が外部に露出することとなる。そして、外部に露出した箸１２の引出側端部を手で掴むことにより箸１２を容易に取り出すことができる。
【００１５】
ここで、箸箱本体１４を押し下げたときには、従来の箸箱のように屈曲による弾発力が作用したり、部分的に応力集中が加わるようなことはない。したがって、箸箱本体１４の引出側端部を押し下げた手を離したときに箸箱本体１４が元の位置に戻るようなことはなく、取り出し作業の邪魔になるようなことはないし、また、長期間の使用による亀裂や破断が生じることもない。
【００１６】
さらに、箸箱本体１４内に収容されている箸１２は、箸挟持部材２４によってしっかりと挟持されているので、箸箱１０を持ち運ぶ際に箸箱１０の中で箸１２が移動することはなく、カタカタという耳障りな異音を生じさせることもない。
【００１７】
請求項２に記載の箸箱１０によれば、蓋体１６の左右の側壁１６ａの内側面或いは蓋体１６の天井面には、箸箱本体１４の引出側端部を蓋体１６に対して下方に押し下げたときに箸箱本体１４の挿入側の端面と当接するストッパー３４が形成されているので、箸箱本体１４の引出側端部を下方に押し下げて箸１２を出し入れする際に箸箱本体１４が挿入側へ移動するのを規制でき、箸１２の出し入れ作業の作業性が向上する。
【００１８】
請求項３に記載の箸箱１０によれば、ガイド２０には、その幅ａ３をガイド溝３０の溝幅ｃよりも幅広にする押圧部２０ｃが設けられているので、蓋体１６内に箸箱本体１４を押し込むと、ガイド溝３０とガイド２０との間に摩擦力が生じることとなる。したがって、箸箱１０の持ち運び時において蓋体１６から箸箱本体１４が不所望に抜け出るのを防止できる。
【図面の簡単な説明】
【００１９】
【図１】この発明にかかる箸箱の使用状態を示す斜視図である。
【図２】この発明にかかる箸箱の分解斜視図である。
【図３】箸箱本体を示す(A)平面図、(B)側面図、(C)X-X線断面図である。
【図４】蓋体を示す(A)平面図、(B)側面図、(C)Y-Y線断面図である。
【図５】使用状態を示す図である。
【図６】従来例を示す図である。
【発明を実施するための形態】
【００２０】
図１〜図４を参照して、この発明が適用された箸箱１０は、箸１２（図１）の取り出しが容易なように工夫されたものであり、箸箱本体１４と蓋体１６とによって構成されている。
【００２１】
箸箱本体１４は、図２および図３に示すように、上面が開口した細長矩形箱状のものであり、箸箱本体１４の左右の側壁１４ａの挿入側端部（図３における左側）には、挿入端に至る上面開口から一段下がった逃げ部１４ｂが形成されており、その反対の引出側端部には、半円形状の切り欠き１４ｃが形成されている。なお、逃げ部１４ｂは、図示しないが、挿入端に向って側壁１４ａの高さを減ずるように形成してもよい。
【００２２】
各側壁１４ａの外面には、蓋体１６に対して箸箱本体１４をスライド操作させる際のガイドとなるガイド突条１８およびガイド２０が前後に所定間隔を隔てて形成されている。
【００２３】
各側壁１４ａの挿入側に形成されているガイド突条１８は、箸箱本体１４の長手方向に沿って延びる直線部１８ａと、直線部１８ａの引出側端部であって上辺側に形成された上方に向けて突出する突部１８ｂとで構成されており、直線部１８ａと突部１８ｂとを合わせた幅ａ１（図３(B)）が、後述する蓋体１６のガイド溝３０の溝幅ｃ（図４(C)）と大略等しく或いはやや小さめに設定されている（したがって、直線部１８ａの幅は、蓋体１６のガイド溝３０の溝幅ｃよりも小さく設定されている）。
【００２４】
各側壁１４ａの外側面の引出側端部に形成されているガイド２０は、直線部２０ａと、直線部２０ａの中央部分であって上辺側に形成された上方に突出する突部２０ｂと、直線部２０ａの引出側端部であって下辺側に形成された下方に向けて僅かに突出する押圧部２０ｃとで構成されている。
【００２５】
ガイド２０は、蓋体１６から箸箱本体１４を引き出し、ガイド突条１８の突部１８ｂが後述するガイド溝３０のストッパー３２と当接した時に、ガイド溝３０から直線部２０ａ全体が抜け出るようにその形成位置および長さが設定されている。
【００２６】
ガイド２０において、直線部２０ａと突部２０ｂとを合わせた幅ａ２は、上述したガイド突条１８の幅ａ１と略等しく設定されており、直線部２０ａと突部２０ｂと押圧部２０ｃとを合わせた幅ａ３は、ガイド溝３０の溝幅ｃよりも大きく設定されている（図３(B)参照）。
【００２７】
各側壁１４ａの内面中央部分には、係止爪２２が形成されており、この係止爪２２によって箸挟持部材２４が取り付けられている。
【００２８】
ここで、箸挟持部材２４は、箸箱本体１４内に収容した箸１２を挟持して、箸１２の前後方向（図３(A)における左右方向）ならびに左右方向（図３(A)における上下方向）への移動を規制するもので、ゴムなどの弾性材料によって形成されている。
【００２９】
各箸挟持部材２４の厚みは、箸挟持部材２４間の隙間ｂ（図３(A)）が箸１２の当接部分の幅よりも狭くなるように設定されている。
【００３０】
箸箱本体１４の底板１４ｄの上面であって突部１８ｂよりも引出側には、断面略三角形状の箸置き部２６（図３(C)）が上方に突出して形成されている。
【００３１】
箸置き部２６は、箸箱本体１４に収容した箸１２の箸先を浮き上がらせるためのもので、後述する箸箱本体１４の押し下げ操作時において、箸先が蓋体１６の天井面とすぐに接触できるよう、その高さが適宜設定されている。
【００３２】
箸箱本体１４の底板１４ｄの下面であってその引出側端部には、短手方向に延びる複数の凹条２８が前後に所定間隔を隔てて形成されている。
【００３３】
蓋体１６は、図２および図４に示すように、下部（図４(C)における下側）ならびに引出側端部（図４(C)における右側）が開口した細長矩形箱状のものであり、箸箱本体１４を収容して、箸箱本体１４の上面開口と側壁１４ａとを覆うことができるようにその大きさが設定されている。
【００３４】
蓋体１６の左右の側壁１６ａの内側面には、長手方向に沿って伸び、その一端が側壁１６ａの引出側の端部端縁に至るガイド溝３０が形成されており、このガイド溝３０に、箸箱本体１４のガイド突条１８およびガイド２０が嵌め込まれている。
【００３５】
ガイド溝３０の溝幅ｃは、ガイド突条１８の幅ａ１およびガイド２０の幅ａ２と大略等しく或いはやや大き目に設定されている。
【００３６】
ガイド溝３０の溝底であって、その長手方向中央部分には、ストッパー３２が内側へ向けて突設されている。ストッパー３２は、蓋体１６から箸箱本体１４を引き出した際に、箸箱本体１４の側壁１４ａに形成されている突部１８ｂと当接して箸箱本体１４の引き出し量を規制するためのものであり、突部１８ｂとは当接するが、直線部１８ａとは当接しないようにその位置が設定されている。
【００３７】
また、各側壁１６ａの内側面には、ストッパー３４が形成されている。ストッパー３４は、箸箱本体１４の引出側端部を押し下げて箸箱本体１４に箸１２を出し入れする際に、箸箱本体１４が不所望に挿入側へ移動するのを規制するためのもので、箸箱本体１４の引出側端部を蓋体１６に対して下方に押し下げたときに箸箱本体１４の挿入側の端面と当接する位置に（箸箱本体１４の先端がストッパー３４の背部に位置するように）その位置が設定されている。なお、本実施例では、ストッパー３４を蓋体１６の側壁１６ａの内側面に形成するようにしているが、蓋体１６の天井面から垂設するように形成してもよい。
【００３８】
以上のように構成されている箸箱１０を用いて箸箱１０に収容されている箸１２を取り出す際には、図５(A)に示すように、箸箱１０の引出側端部をその上下から人差し指と親指とで挟み、箸箱本体１４を引出側（図５(A)における右側）へスライドさせる。箸箱本体１４の底板１４ｄの下面引出側端部には、凹条２８が形成されているので、箸箱本体１４を引き出す指が滑ることはない。
【００３９】
箸箱本体１４を引き出すと、ガイド突条１８およびガイド２０がガイド溝３０内を移動して、箸箱本体１４が蓋体１６から引き出される。そして、ガイド２０の全体がガイド溝３０から抜け出たところでガイド突条１８の突部１８ｂがガイド溝３０内に設けられたストッパー３２と当接し、これにより箸箱本体１４の引き出し位置が規制される（図５(B)参照）。
【００４０】
図５(B)の状態で、箸箱本体１４の引出側端部に対して、これを蓋体１６に対して下方へ押し下げる方向の力Ｆを付与すると、箸箱本体１４が突部１８ｂを回動軸として回動しはじめる。箸箱本体１４の挿入側端部には、一段下がった逃げ部１４ｂが設けられており、この逃げ部１４ｂの段差分だけ箸箱本体１４を回動させることができる。
【００４１】
ここで、箸１２は、箸箱本体１４の箸挟持部材２４によって挟持固定されている。したがって、箸箱本体１４の引出側端部を蓋体１６に対して下方へ押し下げて箸箱本体１４を回動させようとすると、箸１２も箸箱本体１４と一緒に回動しようとする。
【００４２】
ところが、箸１２は、箸置き部２６によってその箸先が浮き上がっており、箸箱本体１４を蓋体１６に対して押し下げると、箸１２の箸先がすぐに蓋体１６の天井面と当接し、箸１２の回動が規制される。したがって、箸１２は、箸箱本体１４の回動運動に追随することなくその位置にて保持され、箸箱本体１４だけが押し下げられ、その結果、箸１２の持ち手部分が外部に露出することとなる（図５(C)参照）。
【００４３】
そして、外部に露出した箸１２の引出側端部を手で掴むことにより箸１２を容易に取り出すことができる。
【００４４】
なお、箸箱本体１４の側壁１４ａの引出側端部には、切り欠き１４ｃが形成されているので、箸１２を掴もうとする指が側壁１４ａによって邪魔されることはない。
【００４５】
また、蓋体１６の側壁１６ａの内側面には、ストッパー３４が形成されており、箸箱本体１４を回動させると、その挿入側端面がストッパー３４と当接することとなる。これにより、箸箱本体１４の挿入側への移動が規制されることとなり、箸１２の取り出し作業時において、箸箱本体１４が不所望に挿入側へ移動するのを防止できる。
【００４６】
また、箸１２は箸挟持部材２４によって挟持されており、箸箱本体１４と一体化されている。したがって、箸１２の取出作業時に箸箱１０を傾けたとしても、箸１２が箸箱本体１４から滑り落ちるようなことはない。
【００４７】
一方、箸１２を箸箱１０に収容する際は、箸１２を箸挟持部材２４で挟みこむようにして箸箱本体１４内に収容し、先ほどとは逆の手順で蓋体１６の内部に箸箱本体１４を押し込めばよい。
【００４８】
なお、箸箱本体１４のガイド２０には、ガイド２０の幅ａ３をガイド溝３０の溝幅ｃより僅かに幅広にする押圧部２０ｃが設けられているので、蓋体１６内に箸箱本体１４を完全に押し込むと、押圧部２０ｃの存在によってガイド溝３０とガイド２０との間に摩擦力が生じることとなる。したがって、箸箱１０の持ち運び時において蓋体１６から箸箱本体１４が不所望に抜け出るのを防止できる。
【００４９】
本実施例の箸箱１０によれば、箸箱本体１４を蓋体１６から引き出し、その引出側端部を蓋体１６に対して下方へ押し下げるだけで箸１２の持ち手部分が箸箱本体１４から外部に露出し、箸１２を簡単に取り出すことが出来る。
【００５０】
ここで、上記箸箱本体１４の押し下げ操作は、ガイド突条１８の突部１８ｂを回動軸とする回動運動であり、従来の箸箱のような屈曲運動を伴うものではないため、従来のような弾発力が作用することはない。したがって、箸箱本体１４を押し下げた手を離しても箸箱本体１４が元の位置に戻ることはなく、箸１２の取り出し作業の邪魔になるようなことはない。
【００５１】
また、上記箸箱本体１４の回動は、箸箱本体１４全体の動きを伴うものであり、従来の箸箱のように部分的な応力集中が加わるようなことはない。したがって、長期間の使用による亀裂や破断が生じることもなく、非常に頑丈な箸箱１０とすることができる。
【００５２】
さらに、箸１２は箸挟持部材２４によって挟持固定されているので、箸箱１０の持ち運び時において、中に収容されている箸１２が動いてカタカタという耳障りな異音を生じさせることもない。
【００５３】
なお、蓋体１６から箸箱本体１４を引き出し、ガイド突条１８の突部１８ｂがガイド溝３０内に設けられたストッパー３２と当接した状態において、さらに力を加えて箸箱本体１４を引き出すと、突部１８ｂがストッパー３２を乗り越え、蓋体１６から箸箱本体１４を完全に引き出すことができる。このように蓋体１６から箸箱本体１４を完全に引き出してバラバラに分解することで、箸箱１０を容易に洗浄できる。
【符号の説明】
【００５４】
１０：箸箱、１２：箸、１４：箸箱本体、１４ａ：側壁、１４ｂ：逃げ部、１４ｃ：切り欠き、１４ｄ：底板、１６：蓋体、１６ａ：側壁、１８：ガイド突条、１８ａ：直線部、１８ｂ：突部、２０：ガイド、２０ａ：直線部、２０ｂ：突部、２０ｃ：押圧部、２２：係止爪、２４：箸挟持部材、２６：箸置き部、２８：凹条、３０：ガイド溝、３２：ストッパー、３４：ストッパー、ａ１〜ａ３：幅、ｂ：隙間、ｃ：溝幅
【図１】
2014236865.tif 000003
【図２】
2014236865.tif 000004
【図３】
2014236865.tif 000005
【図４】
2014236865.tif 000006
【図５】
2014236865.tif 000007
【図６】
2014236865.tif 000008